(57)【要約】【課題】筐体の内部に硬貨が進入してしまうことを抑制すること。【解決手段】前面開口２０ａを有した直方状を成し、両側内面にレール機構４０が設けられた筐体２０と、同一金種の硬貨が所定枚数積層されて棒状に包装された棒金を収納する収納部３１を有し、かつ両側部がレール機構４０に取り付けられることにより筐体２０に前面開口２０ａを通じて前後方向に沿ってスライド可能に格納された収納トレイ３０とを備えた棒金収納装置１０において、レール機構４０の上方域に設けられ、かつ硬貨の進入を規制する規制部３３を備えている。この規制部３３は、収納トレイ３０の両側部に側方に突出する態様で設けられていることが好ましい。【選択図】図４
2020009257.tif 000002
【特許請求の範囲】
【請求項１】
前面に開口を有した直方状を成し、かつ両側内面にレール機構が設けられた筐体と、
同一金種の硬貨が所定枚数積層されて棒状に包装された棒金を収納する収納部を有し、かつ両側部が前記レール機構に取り付けられることにより前記筐体に前記開口を通じて前後方向に沿ってスライド可能に格納された収納トレイと
を備えた棒金収納装置において、
前記レール機構の上方域に設けられ、かつ硬貨の進入を規制する規制部を備えたことを特徴とする棒金収納装置。
【請求項２】
前記規制部は、前記収納トレイの両側部に側方に突出する態様で設けられたことを特徴とする請求項１に記載の棒金収納装置。
【請求項３】
前記規制部は、前記筐体の両側内面との離間距離が、硬貨の厚み以下の大きさであることを特徴とする請求項２に記載の棒金収納装置。
【請求項４】
前記規制部は、金属製の板材を加工して構成されたことを特徴とする請求項１〜３のいずれか１つに記載の棒金収納装置。
【請求項５】
前記収納トレイが前後方向に沿ってスライドする場合に、該収納トレイが左右方向に移動することを規制するガイド部を備えたことを特徴とする請求項１〜４のいずれか１つに記載の棒金収納装置。
【発明の詳細な説明】
【技術分野】
【０００１】
本発明は、棒金収納装置に関し、より詳細には、同一金種の硬貨が所定枚数積層されて棒状に包装された棒金を収納するための棒金収納装置に関するものである。
【背景技術】
【０００２】
例えばスーパーマーケットやコンビニエンスストア等では、ＰＯＳ（Point  Of  Sales）端末に自動釣銭機と称される貨幣処理装置が接続されているのが一般的である。貨幣処理装置は、貨幣が投入された場合に、これを識別して収納する一方、ＰＯＳ端末から出金指令が与えられた場合に、該当する金額の貨幣を払い出すものである。
【０００３】
この種の貨幣処理装置の中には、棒金収納装置が付設されたものが知られている。棒金収納装置は、同一金種の硬貨が所定枚数積層されて棒状に包装された棒金を収納するものであり、貨幣処理装置において出金する硬貨が足りなくなった場合に、足りなくなった硬貨と同一種類の棒金が取り出されて該貨幣処理装置に補充されることを許容するものである（例えば、特許文献１参照）。
【先行技術文献】
【特許文献】
【０００４】
【特許文献１】特開２００８−２９３４２２号公報
【発明の概要】
【発明が解決しようとする課題】
【０００５】
ところで、上述した棒金収納装置においては、前面に開口を有した直方状を成し、かつ両側内面にレール機構が設けられた筐体と、棒金を収納する収納部を有し、かつ両側部が上記レール機構に取り付けられることにより筐体に開口を通じて前後方向に沿ってスライド可能に格納された収納トレイとを備えているのが一般的である。そして、レール機構の上方域には、筐体と収納トレイとの間に隙間が生じていた。
【０００６】
そのため、かかる隙間を通じて硬貨が筐体の内部に進入してしまう虞れがあった。このように筐体の内部に硬貨が進入してしまうと、収納トレイを筐体から取り外さない限り、硬貨を取り出すことができず、結果的に、棒金だけでなくＰＯＳ端末や貨幣処理装置の利用機会を奪うこととなり、好ましくない。
【０００７】
本発明は、上記実情に鑑みてなされたものであり、筐体の内部に硬貨が進入してしまうことを抑制することができる棒金収納装置を提供することを目的とする。
【課題を解決するための手段】
【０００８】
本発明に係る棒金収納装置は、前面に開口を有した直方状を成し、かつ両側内面にレール機構が設けられた筐体と、同一金種の硬貨が所定枚数積層されて棒状に包装された棒金を収納する収納部を有し、かつ両側部が前記レール機構に取り付けられることにより前記筐体に前記開口を通じて前後方向に沿ってスライド可能に格納された収納トレイとを備えた棒金収納装置において、前記レール機構の上方域に設けられ、かつ硬貨の進入を規制する規制部を備えたことを特徴とする。
【０００９】
また本発明は、上記棒金収納装置において、前記規制部は、前記収納トレイの両側部に側方に突出する態様で設けられたことを特徴とする。
【００１０】
また本発明は、上記棒金収納装置において、前記規制部は、前記筐体の両側内面との離間距離が、硬貨の厚み以下の大きさであることを特徴とする。
【００１１】
また本発明は、上記棒金収納装置において、前記規制部は、金属製の板材を加工して構成されたことを特徴とする。
【００１２】
また本発明は、上記棒金収納装置において、前記収納トレイが前後方向に沿ってスライドする場合に、該収納トレイが左右方向に移動することを規制するガイド部を備えたことを特徴とする。
【発明の効果】
【００１３】
本発明によれば、レール機構の上方域に設けられた規制部が、硬貨の進入を規制するので、筐体の内部に硬貨が進入してしまうことを抑制することができるという効果を奏する。
【図面の簡単な説明】
【００１４】
【図１】図１は、本発明の実施の形態である棒金収納装置が適用された貨幣処理システムの斜視図である。
【図２】図２は、図１に示した棒金収納装置を示す斜視図である。
【図３】図３は、図１に示した棒金収納装置を示す分解斜視図である。
【図４】図４は、図３に示した収納トレイを示す斜視図である。
【図５】図５は、図４に示したレール機構を示す斜視図である。
【図６】図６は、図５に示した右方側のレール機構を示す分解斜視図である。
【図７】図７は、図６に示した右方側のレール機構の要部を拡大して示す斜視図である。
【図８】図８は、図６及び図７に示したインナーローラにおけるインナーガイド部の作用を示す説明図である。
【図９】図９は、図６に示した右方側のレール機構の要部を拡大して示す斜視図である。
【図１０】図１０は、図６及び図９に示したアウターローラにおけるアウターガイド部の作用を示す説明図である。
【図１１】図１１は、図２に示した収納トレイが前方にスライドした状態の棒金収納装置を示す斜視図である。
【図１２】図１２は、図４及び図１１に示した収納トレイの前方部分を示す分解斜視図である。
【図１３】図１３は、図３に示した棒金収納装置の要部を拡大して示す斜視図である。
【図１４】図１４は、図１１に示した棒金収納装置においてカバーを省略した斜視図である。
【図１５】図１５は、図１４に示したロック機構の要部を下方から模式的に示す底面図である。
【図１６】図１６は、図１４に示したロック機構の要部を下方から模式的に示す底面図である。
【発明を実施するための形態】
【００１５】
以下に添付図面を参照して、本発明に係る棒金収納装置の好適な実施の形態について詳細に説明する。
【００１６】
図１は、本発明の実施の形態である棒金収納装置が適用された貨幣処理システムの斜視図である。ここで例示する貨幣処理システム１は、例えばスーパーマーケットやコンビニエンスストア等の店舗に設置され、上位機器であるＰＯＳ（Point  Of  Sales）端末（図示せず）と接続されることにより、釣銭や棒金の管理・収納等を行うレジシステムを構成している。かかる貨幣処理システム１は、本実施の形態である棒金収納装置１０の上に、硬貨を扱う釣銭機２ａ及び紙幣を扱う釣札機２ｂを有する貨幣処理装置２を載置したものである。
【００１７】
図２及び図３は、それぞれ図１に示した棒金収納装置１０を示すものであり、図２は斜視図、図３は分解斜視図である。これら図２及び図３に示す棒金収納装置１０は、貨幣処理装置２の釣銭機２ａに補充するための棒金を準備金として収納するものである。ここで棒金とは、同一金種の硬貨が所定枚数積層されて棒状に包装されたものであり、１つの取扱単位として構成したものである。上記棒金収納装置１０は、１円硬貨、５円硬貨、１０円硬貨、５０円硬貨、１００円硬貨、５００円硬貨をそれぞれ所定枚数（例えば５０枚）積層して棒状に包装された棒金（１円棒金、５円棒金、１０円棒金、５０円棒金、１００円棒金、５００円棒金）を収納対象としている。
【００１８】
そのような棒金収納装置１０は、筐体２０と収納トレイ３０とを備えて構成してある。筐体２０は、前面及び上面に開口を有する箱状のベース２１と、該ベース２１の上面の開口（以下、上面開口ともいう）２１ａを覆う態様で形成されたカバー２２とを備えている。このカバー２２がベース２１の上面開口２１ａを覆うことで、前面に開口（以下、前面開口ともいう）２０ａ（図１１参照）を有した直方状の筐体２０が構成される。
【００１９】
収納トレイ３０は、前面開口２０ａを通じて筐体２０の内部に進入可能な大きさに構成した箱体であり、図４に示すように、レール機構４０を介して筐体２０に設けてある。ここではレール機構４０について先に説明する。
【００２０】
レール機構４０は、図５に示すように、左右一対のものである。以下においては便宜上、２つのレール機構４０において互いに近接した方向を内側と称し、互いに離反した方向を外側と称して説明し、右方側のレール機構４０を代表例として説明し、左方側のレール機構４０の説明を割愛する。
【００２１】
レール機構４０は、前後方向が長手方向となる長尺状部材であり、図６に示すように、アウターレール４１、インナーレール４２、インナーローラ４３及びアウターローラ４４を備えて構成してある。
【００２２】
アウターレール４１は、例えば板金等を加工して形成したもので、上下に延在するアウター側壁部４１１と、アウター側壁部４１１の上端縁部より内側に水平延在するアウター上壁部４１２と、アウター側壁部４１１の下端縁部より内側に水平延在するアウター下壁部４１３とを一体に成形して構成してある。かかるアウターレール４１は、アウター側壁部４１１の外面が筐体２０の左右両側壁部の内面、すなわちベース２１の左右両側壁部の内面に取り付けてある。
【００２３】
インナーレール４２は、例えば板金等を加工して形成したもので、上下に延在するインナー側壁部４２１と、インナー側壁部４２１の上端縁部より外側に水平延在するインナー上壁部４２２と、インナー側壁部４２１の下端縁部より外側に水平延在するインナー下壁部４２３とを一体に成形して構成してある。かかるインナーレール４２は、インナー側壁部４２１の外面が収納トレイ３０の左右両側部の外面に取り付けてある。
【００２４】
インナーローラ４３は、図７に示すように、インナーレール４２の後端部にて、インナー側壁部４２１に形成された貫通孔４２１ａを貫通することで自身の中心軸回りに回転可能に軸支されており、アウターレール４１のアウター下壁部４１３を転動可能なものである。このインナーローラ４３の中心部分には、例えばポリアセタール等の樹脂材により形成された外側に突出するインナーガイド部４５が形成してある。かかるインナーガイド部４５は、図８に示すように、その外側の端部４５ａがアウターレール４１のアウター側壁部４１１の内面に近接し、収納トレイ３０がスライドする際に該内面に摺動するものである。
【００２５】
アウターローラ４４は、図９に示すように、アウターレール４１の前端部にて、アウター側壁部４１１に形成された貫通孔４１１ａを貫通することで自身の中心軸回りに回転可能に軸支されており、インナーレール４２のインナー下壁部４２３を転動可能なものである。このアウターローラ４４の中心部分には、例えばポリアセタール等の樹脂材により形成された内側に突出するアウターガイド部４６が形成してある。かかるアウターガイド部４６は、図１０に示すように、その内側の端部４６ａがインナーレール４２のインナー側壁部４２１の外面に近接し、収納トレイ３０がスライドする際に該外面に摺動するものである。
【００２６】
このような構成により、レール機構４０は、インナーレール４２がアウターレール４１に対して前後方向に移動可能である。そして、収納トレイ３０は、図１１に示すように、筐体２０の前面開口２０ａを通じて前後方向に沿ってスライド可能である。
【００２７】
そのような収納トレイ３０は、収納部３１、フリースペース部３２及び規制部３３を備えて構成してある。収納部３１は、予め定められた種類の棒金を予め定められた位置に収納するためのものであり、複数のユニット３１１〜３１４を組み合わせて構成してある。
【００２８】
収納部３１は、収納トレイ３０のスライド方向で前方側（手前側）から後方側（奥側）に向かって順に、前列の左方となる第１ユニット３１１と、中列となる第２ユニット３１２及び第３ユニット３１３と、後列となる第４ユニット３１４とを備えている。第２ユニット３１２と、第３ユニット３１３とは、中列で左右に並んで配列してある。
【００２９】
図４等に示すように、第１ユニット３１１には、棒金を収納可能な収納ポケット３１１ａ〜３１１ｄが前方から後方に向けて４個設けてあり、本実施の形態では、例えば１００円棒金を収納可能な収納ポケット３１１ａ〜３１１ｄが４個設けてある。第２ユニット３１２には、棒金を収納可能な収納ポケット３１２ａ〜３１２ｄが前方から後方に向けて４個設けてあり、本実施の形態では、例えば１０円棒金を収納可能な収納ポケット３１２ａ〜３１２ｄが４個設けてある。第３ユニット３１３には、棒金を収納可能な収納ポケット３１３ａ〜３１３ｄが前方から後方に向けて４個設けてあり、本実施の形態では、最前列の収納ポケット３１３ａが例えば５円棒金を収納可能なものであり、その他の収納ポケット３１３ｂ〜３１３ｄが例えば１円棒金又は５円棒金を収納可能なものである。第４ユニット３１４には、棒金を収納可能な収納ポケット３１４ａ〜３１４ｆが左方から右方に向けて６個設けてあり、本実施の形態では、最も左方の２つの収納ポケット３１４ａ，３１４ｂが５００円棒金を収納可能なものであり、中央側の２つの収納ポケット３１４ｃ，３１４ｄが５０円棒金を収納可能なものである。また最も右方の収納ポケット３１４ｆが１円棒金を収納可能なものであり、右方から２番目の収納ポケット３１４ｅが１円棒金又は５円棒金を収納可能なものである。
【００３０】
フリースペース部３２は、収納部３１と区画された状態で、第１ユニット３１１の右方に設けてある。このフリースペース部３２は、例えば紙幣や商品券などの券類やハンコ等の棒金以外の非棒金物を収納するためのもので、図１２に示すように、スペース基部３２１と蓋部３２２とを備えて構成してある。スペース基部３２１は、上方に上部開口３２１ａが形成された凹状のものである。蓋部３２２は、例えばポリプロピレン等の樹脂材から構成され、光透過性を有するシート状のものである。この蓋部３２２は、後端部３２２ａが、例えばネジ等の締結部材３２３を介してスペース基部３２１の上部開口３２１ａの後端縁部３２１ｂに着脱可能に締結され、前端部３２２ｂが、上下に揺動することで、上部開口３２１ａを開閉するものである。この蓋部３２２の前端部３２２ｂは、蓋部３２２自体の自重により上部開口３２１ａを閉塞する際には、前端縁部３２１ｃの上面に配置されることが好ましい。また蓋部３２２の前端部３２２ｂの中央部分には、手指の挿入を可能にする切欠３２２ｃが形成してある。
【００３１】
規制部３３は、例えば板金等の金属製の板材を加工して構成したものであり、図４等に示すように、レール機構４０の上方域にて、収納トレイ３０の左右両側部より外方（側方）に突出する態様で設けてある。より詳細には、規制部３３は、収納トレイ３０を前方にスライドさせた場合でも、筐体２０の内部に配置される個所に設けてある。この規制部３３は、図１３に示すように、筐体２０を構成するベース２１の左右両側壁部の内面との離間距離ｄが、取扱硬貨のうち最も厚みの小さい硬貨（１円硬貨）の厚み以下の大きさとされている。
【００３２】
図１４は、図１１に示した筐体２０のカバー２２を省略した斜視図である。この図１４に示すように、筐体２０には、規制部材５０及びロック機構６０が設けてある。
【００３３】
規制部材５０は、筐体２０のベース２１の左右両側壁部の前端部間を跨る態様で設けた長尺平板状部材である。この規制部材５０は、収納トレイ３０が後方にスライドして筐体２０に格納される場合に、フリースペース部３２の上方に配置されて蓋部３２２が上方に揺動することを規制するものである（図４参照）。
【００３４】
ロック機構６０は、ベース２１の底面の後方側に設けてある。このロック機構６０は、図１５に示すように、ラッチ６１とラチェット６２とを備えている。ラッチ６１は、中央部に設けられたラッチ回動軸６１１を軸心としてその軸心回りに回動自在に設けられた部材であり、収納トレイ３０に設けられた被係止部３５の進入を許容する係止溝６１２が形成してある。ラチェット６２は、ラッチ６１の右方に配置され、前方に設けられたラチェット回動軸６２１より後方に向けて延在する部材である。このラチェット６２は、ラチェット回動軸６２１を軸心としてその軸心回りに回動自在に設けられている。またラチェット６２は、図示せぬラチェットバネにより、図１５において常時左方に回動するよう付勢され、一部がラッチ６１と係合可能である。
【００３５】
このようなロック機構６０では、収納トレイ３０が後方にスライドする場合に、被係止部３５が係止溝６１２に進入して押圧することで、ラッチ６１が図１５において時計回りに回動し、ラチェット６２と係合してロック状態となる。これにより、筐体２０に格納された収納トレイ３０が前方にスライドすることを規制している。このようにロック機構６０がロック状態となる場合、ラチェット６２に取り付けられたセンシング部材６３の先端部が、光センサ６４の発光素子６４１と受光素子６４２との間に介在して発光素子６４１から発光された光を遮蔽し、該光センサ６４をオフ状態にさせる。この結果、光センサ６４は、オフ信号を図示せぬ制御部に送出して、ロック状態であることを出力する。
【００３６】
ところで、上記ＰＯＳ端末から開放指令が与えられた場合、ロック機構６０は、例えばソレノイド等のアクチュエータ６５を駆動させる。これにより、ロック機構６０では、図１６に示すように、ラチェット６２がラチェットバネの付勢力に抗して図１６において反時計回りに回動し、ラッチ６１とラチェット６２との係合状態が解除され、非ロック状態となる。この場合、センシング部材６３の先端部が、光センサ６４の発光素子６４１と受光素子６４２との間から離脱することで、発光素子６４１から発光された光を受光素子６４２で受けることができ、光センサ６４をオン状態にさせる。この結果、光センサ６４は、オン信号を制御部に送出して、非ロック状態であることを出力する。
【００３７】
このようにロック機構６０が非ロック状態となることにより、収納トレイ３０を前方にスライドさせることができる。収納トレイ３０を前方にスライドさせると、ラッチ６１が図１６において反時計回りに回動し、係止溝６１２の開放端部６１２ａが前方を臨むような姿勢になる。図には明示しないが、その後にアクチュエータ６５が駆動停止すると、ラチェット６２がラチェットバネにより、図１６において時計回りに回動するが、係止溝６１２の開放端部６１２ａが前方を臨む姿勢のラッチ６１と係合することで、センシング部材６３の先端部が光センサ６４から離脱した姿勢に保持される。つまり、ロック機構６０においては、ロック状態となる場合にのみ、光センサ６４をオフ状態にさせることができる。
【００３８】
以上のような構成を有する棒金収納装置１０によれば、レール機構４０の上方域にて、収納トレイ３０の左右両側部より外方（側方）に突出する態様で設けた規制部３３が、筐体２０を構成するベース２１の左右両側壁部の内面との離間距離ｄが、取扱硬貨のうち最も厚みの小さい硬貨（１円硬貨）の厚み以下の大きさとされているので、硬貨の進入を規制することができ、これにより、筐体２０の内部に硬貨が進入してしまうことを抑制することができる。
【００３９】
上記棒金収納装置１０によれば、インナーローラ４３のインナーガイド部４５の端部４５ａがアウターレール４１のアウター側壁部４１１の内面に接し、アウターローラ４４のアウターガイド部４６の端部４６ａがインナーレール４２のインナー側壁部４２１の外面に接するので、これらインナーガイド部４５及びアウターガイド部４６が、収納トレイ３０が前後方向に沿ってスライドする場合に、該収納トレイ３０が左右方向に移動することを規制することができ、これにより、収納トレイ３０のスライドをスムーズなものとすることができる。
【００４０】
上記棒金収納装置１０によれば、収納トレイ３０が、前方側に収納部３１と区画された態様で設けられ、かつ棒金以外の非棒金物を収納するフリースペース部３２を備えているので、非棒金物を収納することはでき、利便性の向上を図ることができる。
【００４１】
また、フリースペース部３２は、上方に上部開口３２１ａが形成された凹状のスペース基部３２１と、スペース基部３２１の上部開口３２１ａを開閉するシート状の蓋部３２２とを備え、蓋部３２２が、後端部３２２ａが上部開口３２１ａの後端縁部３２１ｂに着脱可能に取り付けられ、前端部３２２ｂが上下に揺動することにより該上部開口３２１ａを開閉するので、蓋部３２２が損傷した場合には、容易に交換することができる。更に、蓋部３２２は、光透過性を有する樹脂材により構成されているので、上部開口３２１ａを閉塞した状態であってもフリースペース部３２の収納物を視認させることができる。また更に、収納トレイ３０が筐体２０に格納される場合に、該筐体２０に設けられた規制部材５０が蓋部３２２が上方に揺動することを規制するので、上部開口３２１ａが開成されてしまうことを抑制できる。
【００４２】
上記棒金収納装置１０によれば、ロック機構６０がロック状態となる場合にのみ、光センサ６４をオフ状態にさせることができるので、後方にスライドした収納トレイ３０が前方へのスライドが規制される前に光センサ６４がオフ状態になることを回避することができる。
【００４３】
以上、本発明の好適な実施の形態について説明したが、本発明はこれに限定されるものではなく、種々の変更を行うことができる。
【００４４】
上述した実施の形態では、規制部３３が収納トレイ３０の左右両側部より外方（側方）に突出する態様で設けられていたが、本発明においては、規制部は、筐体に設けられていてもよい。また規制部は、金属製の板材から加工されている必要はなく、樹脂材等から形成されるものであってもよい。樹脂材等から形成される場合、その一部が筐体の側部若しくは収納トレイの側部に摺接する構成でもよい。
【００４５】
上述した実施の形態では、インナーガイド部４５がインナーローラ４３に設けられ、アウターガイド部４６がアウターローラ４４に設けられていたが、本発明においては、ガイド部は、収納トレイが前後方向に沿ってスライドする場合に、該収納トレイが左右方向に移動することを規制することができればよく、規制部に設けられていてもよいし、その他の個所に設けられていてもよい。
【符号の説明】
【００４６】
１０  棒金収納装置
２０  筐体
２０ａ  前面開口
２１  ベース
２２  カバー
３０  収納トレイ
３１  収納部
３１１  第１ユニット
３１１ａ〜３１１ｄ  収納ポケット
３１２  第２ユニット
３１２ａ〜３１２ｄ  収納ポケット
３１３  第３ユニット
３１３ａ〜３１３ｄ  収納ポケット
３１４  第４ユニット
３１４ａ〜３１４ｆ  収納ポケット
３２  フリースペース部
３２１  スペース基部
３２１ａ  上部開口
３２２  蓋部
３３  規制部
４０  レール機構
４１  アウターレール
４２  インナーレール
４３  インナーローラ
４４  アウターローラ
４５  インナーガイド部
４６  アウターガイド部
５０  規制部材
【図１】
2020009257.tif 000003
【図２】
2020009257.tif 000004
【図３】
2020009257.tif 000005
【図４】
2020009257.tif 000006
【図５】
2020009257.tif 000007
【図６】
2020009257.tif 000008
【図７】
2020009257.tif 000009
【図８】
2020009257.tif 000010
【図９】
2020009257.tif 000011
【図１０】
2020009257.tif 000012
【図１１】
2020009257.tif 000013
【図１２】
2020009257.tif 000014
【図１３】
2020009257.tif 000015
【図１４】
2020009257.tif 000016
【図１５】
2020009257.tif 000017
【図１６】
2020009257.tif 000018